(57)【要約】      （修正有）【課題】メッシュパネルの面外方向の変形を抑制することで、メッシュパネルの形態安定性を向上させることのできるメッシュパネル及びフェンスを提供する。【解決手段】縦線材２と横線材３とが編み合わされたメッシュパネルに関する。縦線材２と、縦線材２と交差する横線材３とを備え、縦線材２及び横線材３の何れか一方は、縦線材２と横線材３との交差部７で、縦線材２及び横線材３の何れか他方と、接触側面７３の両側部７３ａにおいて線分Ｓで線接触される。【選択図】図５
2014159706.tif 000002
【特許請求の範囲】
【請求項１】
縦線材と横線材とが編み合わされたメッシュパネルであって、
縦線材と、前記縦線材と交差する横線材とを備え、
前記縦線材及び前記横線材の何れか一方は、前記縦線材と前記横線材との交差部で、前記縦線材及び前記横線材の何れか他方と、接触側面の両側部で線接触されること
を特徴とするメッシュパネル。
【請求項２】
前記縦線材及び前記横線材は、前記交差部の前記接触側面が略平面状に形成されて、前記接触側面の両側部で互いに線接触されること
を特徴とする請求項１に記載のメッシュパネル。
【請求項３】
前記縦線材及び前記横線材の何れか一方又は両方は、凸部と凹部とが交互に設けられることによりクリンプ加工されたものであること
を特徴とする請求項１又は２に記載のメッシュパネル。
【請求項４】
前記縦線材及び前記横線材は、前記縦線材と前記横線材との交差部で、各々に前記凸部又は前記凹部が設けられ、
前記凸部及び前記凹部は、前記凸部の略平面状に形成された最深部と、前記凹部の略平面状に形成された最深部とが、互いに略平行となるように設けられること
を特徴とする請求項３に記載のメッシュパネル。
【請求項５】
前記縦線材及び前記横線材の何れか一方は、前記縦線材と前記横線材との交差部で、前記縦線材及び前記横線材の何れか他方と、前記接触側面の側方で離間されること
を特徴とする請求項１〜４の何れか１項に記載のメッシュパネル。
【請求項６】
前記縦線材及び前記横線材は、全長に亘って略平面状に形成されること
を特徴とする請求項１〜５の何れか１項に記載のメッシュパネル。
【請求項７】
前記縦線材及び前記横線材の断面形状は、小判形又は四角形又は円弧部と弦部とで構成される欠円形状であること
を特徴とする請求項１〜６の何れか１項に記載のメッシュパネル。
【請求項８】
請求項１〜７の何れか１項に記載のメッシュパネルを面材とするフェンスであって、
前記メッシュパネルと、前記メッシュパネルが取り付けられる支柱とを備えること
を特徴とするフェンス。
【発明の詳細な説明】
【技術分野】
【０００１】
本発明は、縦線材と横線材とが編み合わされたメッシュパネル及びこのメッシュパネルを面材とするフェンスに関する。
【背景技術】
【０００２】
従来より、複数の縦線材と複数の横線材とが、交互に前後方向で交差するようにしたフェンス金網が知られている（例えば、特許文献１参照）。また、縦線材と横線材とにクリンプ線材が使用された金網を用いたフェンスも知られている（例えば、特許文献２参照）。さらに、波形屈曲部と直線部とを交互に備えた縦線材と、波形屈曲線材からなる横線材とを組み合わせた金網フェンスも知られている（例えば、特許文献３参照）。
【０００３】
特許文献１に開示されたフェンス金網は、縦線材と横線材との交差部において、縦線材及び横線材がそれぞれ対向方向に凹状に屈曲又は弯曲し、屈曲又は弯曲した部位の幅が対向する縦線材又は横線材の径よりも大きくされている。
【０００４】
特許文献２に開示されたフェンスは、フェンス本体（クリンプ線材が使用された金網）が、複数の縦線材９２と複数の横線材９３とを格子状に編成して構成される。特許文献２に開示されたフェンスは、図２１（ａ）に示すように、縦線材９２及び横線材９３の線径ｄが、波形の凹部９４と凸部９５との間隔ｈ以下となるように設けられ、縦線材９２及び横線材９３が、相手側の縦線材９２又は横線材９３の凹部９４と凸部９５との間に納まって係合される構造となっている。
【０００５】
特許文献２に開示されたフェンスは、縦線材９２及び横線材９３の各々の線径ｄに対して、フェンス本体の面外方向に間隙ｇが形成されるように、凹部９４と凸部９５との間隔ｈとピッチｐとが設定されるため、縦線材９２と横線材９３とは互いに傾動自在となり、フェンス本体が平行四辺形を保って円滑に変形できるようにされている。
【先行技術文献】
【特許文献】
【０００６】
【特許文献１】特開２００２−８１２３１号公報
【特許文献２】特開２００６−１５２６１６号公報
【特許文献３】特開２００７−２６７７２１号公報
【発明の概要】
【発明が解決しようとする課題】
【０００７】
しかし、従来の金網は、波形屈曲したクリンプ線材を縦線材９２及び横線材９３として用いた金網の場合に、波形屈曲した波線材における凹部９４と凸部９５との間隔ｈを、線材の線径ｄよりも大きくして間隙ｇが形成されることにより、線材の自由度を高め、金網全体として平行四辺形に変形可能にされ、自在性が高い金網とされたものであるが、金網面に対する面外方向の変形が大きくなり、形態安定性が低下するため、運搬しづらいという問題があった。
【０００８】
また、従来の金網は、図２１（ｂ）に示すように、縦線材９２と横線材９３との交差部で、縦線材９２と横線材９３とが１箇の線分ｓで線接触し、この線接触した１箇の線分ｓを支点として、縦線材９２と横線材９３とを互いに傾動自在とすることもできる。このときも、従来の金網は、金網全体として平行四辺形に変形可能にされたものとなるが、金網面に対する面外方向の変形に対して、１箇の線分ｓにおける線接触では十分に抵抗することができず、金網面の面外方向の変形が大きくなり、形態安定性が低下するため、運搬しづらいという問題があった。
【０００９】
また、従来の金網は、線材の自由度を高め、金網全体として平行四辺形に変形可能にされ、自在性が高い金網であるが、自在性がある反面、運搬時に金網が面内方向で平行四辺形に変形するように自由に動き、形態安定性が低下するため、運搬しづらいという問題もあった。
【００１０】
さらに、従来の金網は、個々の縦線材９２又は横線材９３自体に自由度が付与されて、金網面に対する面外方向及び面内方向等にガタつくことによって、縦線材９２及び横線材９３の向きが不揃いになって歪な外観となり、また、金網を胴縁に固定する際に、縦線材９２の回転によってパネル面に垂直に固定することができなくなるという問題もあった。
【００１１】
そこで、本発明は、上述した問題点に鑑みて案出されたものであり、その目的とするところは、メッシュパネルの面外方向の変形を抑制することで、メッシュパネルの形態安定性を向上させることのできるメッシュパネル及びフェンスを提供することにある。
【課題を解決するための手段】
【００１２】
第１発明に係るメッシュパネルは、縦線材と横線材とが編み合わされたメッシュパネルであって、縦線材と、前記縦線材と交差する横線材とを備え、前記縦線材及び前記横線材の何れか一方は、前記縦線材と前記横線材との交差部で、前記縦線材及び前記横線材の何れか他方と、接触側面の両側部で線接触されることを特徴とする。
【００１３】
第２発明に係るメッシュパネルは、第１発明において、前記縦線材及び前記横線材は、前記交差部の前記接触側面が略平面状に形成されて、前記接触側面の両側部で互いに線接触されることを特徴とする。
【００１４】
第３発明に係るメッシュパネルは、第１発明又は第２発明において、前記縦線材及び前記横線材の何れか一方又は両方は、凸部と凹部とが交互に設けられることによりクリンプ加工されたものであることを特徴とする。
【００１５】
第４発明に係るメッシュパネルは、第３発明において、前記縦線材及び前記横線材は、前記縦線材と前記横線材との交差部で、各々に前記凸部又は前記凹部が設けられ、前記凸部及び前記凹部は、前記凸部の略平面状に形成された最深部と、前記凹部の略平面状に形成された最深部とが、互いに略平行となるように設けられることを特徴とする。
【００１６】
第５発明に係るメッシュパネルは、第１発明〜第４発明の何れかにおいて、前記縦線材及び前記横線材の何れか一方は、前記縦線材と前記横線材との交差部で、前記縦線材及び前記横線材の何れか他方と、前記接触側面の側方で離間されることを特徴とする。
【００１７】
第６発明に係るメッシュパネルは、第１発明〜第５発明の何れかにおいて、前記縦線材及び前記横線材は、全長に亘って略平面状に形成されることを特徴とする。
【００１８】
第７発明に係るメッシュパネルは、第１発明〜第６発明の何れかにおいて、前記縦線材及び前記横線材の断面形状は、小判形又は四角形又は円弧部と弦部とで構成される欠円形状であることを特徴とする。
【００１９】
第８発明に係るフェンスは、第１発明〜第７発明の何れかのメッシュパネルを面材とするフェンスであって、前記メッシュパネルと、前記メッシュパネルが取り付けられる支柱とを備えることを特徴とする。
【発明の効果】
【００２０】
第１発明〜第７発明によれば、縦線材と横線材との交差部で、縦線材及び横線材の何れか一方が、縦線材及び横線材の何れか他方と、軸方向に延びる２箇所の線分で線接触され、この２箇所の線分の間で接触面が形成されるため、この接触面によってメッシュパネルの面外方向の変形を抑制して形態安定性を向上させることができ、メッシュパネルの運搬、設置を容易にすることが可能となる。
【００２１】
また、第１発明〜第７発明によれば、この接触面によって縦線材又は横線材そのものが回転することを抑止できるため、縦線材又は横線材そのものが回転することによる凹部と凸部との係合状態の解除を回避して、メッシュパネルが容易に分解することを防止することができ、メッシュパネルの製作から梱包、運搬、施工までの間の取り扱いによって、縦線材及び横線材が崩れることを防止することが可能となる。
【００２２】
また、第１発明〜第７発明によれば、縦線材と横線材との交差部で、縦線材と横線材とが傾動するときに、軸方向に延びる２箇所の線分で適度に抵抗することになり、手で力を加えたとき等に限ってメッシュパネルの左右両側が上下方向に相対移動して平行四辺形に変形するように、メッシュパネルの平行四辺形の変形を適度に調整することが可能となる。
【００２３】
さらに、第１発明〜第７発明によれば、この接触面によってメッシュパネルの面外方向及び面内方向のガタつきを防止することができ、縦線材及び横線材の向きを揃えて美観を向上させることが可能となり、また、縦線材の回転を防止して上部胴縁にメッシュパネルを垂直に固定することが可能となる。第１発明〜第７発明によれば、落石又は小動物がメッシュパネルに衝突したときの衝撃荷重を、衝突した部位から周囲の縦線材又は横線材に分散させることができ、この衝撃荷重をメッシュパネル全体にスムーズに分散することが可能となる。
【００２４】
特に、第４発明〜第６発明によれば、側面視において、左右方向に隣り合う凹部の最深部と凸部の最深部とが離間しないように縦線材が設けられるとともに、平面視において、上下方向に隣り合う凹部の最深部と凸部の最深部とが離間しないように横線材が設けられるため、横線材がメッシュパネルの面内方向で傾動自在となると同時に、側部横線材、中間部横線材及び側部縦線材について、必ずしも２本１組として用いることを必要としないで、１本ずつの縦線材及び横線材を交差させて、縦線材及び横線材が崩れることを防止することが可能となる。
【００２５】
また、第４発明〜第６発明によれば、従来の波状の線材を用いるときに比べて線材の使用量を低減させることができ、メッシュパネルの製造における歩留まりを著しく向上させることが可能となる。また、第４発明〜第６発明によれば、メッシュパネルの平行四辺形の変形を自在なものとすると同時に、メッシュパネルの面外方向及び面内方向の変形を抑制して、さらに、メッシュパネルの平行四辺形の変形を適度に調整して形態安定性を向上させることができ、メッシュパネルの運搬、設置を容易にすることが可能となる。
【００２６】
特に、第７発明によれば、略扁平断面形状の縦線材又は横線材が用いられることにより、縦線材と横線材との交差部で、メッシュパネルの面外方向の厚みを薄くすることが可能となる。
【図面の簡単な説明】
【００２７】
【図１】本発明に係るメッシュパネルを示す斜視図である。
【図２】本発明に係るメッシュパネルを示す正面図である。
【図３】（ａ）は、本発明に係るメッシュパネルの縦線材を示す側面図であり、（ｂ）は、その横線材を示す側面図である。
【図４】本発明に係るメッシュパネルの略扁平断面形状に形成された縦線材又は横線材を示す断面図である。
【図５】（ａ）は、本発明に係るメッシュパネルの縦線材と横線材との交差部を示す平面断面図であり、（ｂ）は、その交差部を示す正面図である。
【図６】本発明に係るメッシュパネルの縦線材及び横線材の何れか一方の凹部及び凸部が、縦線材及び横線材の何れか他方の凹部及び凸部に納まって前後方向に挟まれた状態を示す側方断面図である。
【図７】本発明に係るメッシュパネルの縦線材及び横線材の何れか一方の凹部及び凸部が、縦線材及び横線材の何れか他方の凹部及び凸部に納まって前後方向に挟まれた状態を示す平面断面図である。
【図８】本発明に係るメッシュパネルの横線材を傾斜させた状態を示す正面図である。
【図９】本発明に係るメッシュパネルの左下側を拡大した正面図である。
【図１０】（ａ）は、本発明に係るメッシュパネルの長方形の状態を示す正面図であり、（ｂ）は、その平行四辺形の状態を示す正面図である。
【図１１】（ａ）は、本発明を適用したフェンスを示す正面図であり、（ｂ）は、その側面図である。
【図１２】（ａ）は、本発明を適用したフェンスの上部胴縁を示す正面図であり、（ｂ）は、その側面図であり、（ｃ）、（ｄ）は、その連結前の状態を示す正面図である。
【図１３】（ａ）は、本発明を適用したフェンスの支柱に上部胴縁が取り付けられた状態を示す正面図であり、（ｂ）は、その側面図であり、（ｃ）は、本発明を適用したフェンスの上部胴縁にメッシュパネルが取り付けられた状態を示す正面図である。
【図１４】（ａ）は、本発明を適用したフェンスの図１１に示すＡ部の金具を示す平面断面図であり、（ｂ）は、その正面図である。（ｃ）は、本発明を適用したフェンスの図１１に示すＢ部の金具を示す平面断面図であり、（ｄ）は、その正面図である。
【図１５】本発明に係るメッシュパネルの接触面を示す斜視図である。
【図１６】本発明に係るメッシュパネルの略小判形の略扁平断面形状に形成された縦線材又は横線材を示す平面断面図である。
【図１７】本発明に係るメッシュパネルの縦線材及び横線材の何れか一方の凹部及び凸部が、縦線材及び横線材の何れか他方の凹部及び凸部に納まって前後方向に挟まれて傾斜していない状態を示す正面図である。
【図１８】本発明に係るメッシュパネルの縦線材及び横線材の何れか一方の凹部及び凸部が、縦線材及び横線材の何れか他方の凹部及び凸部に納まって前後方向に挟まれて傾斜した状態を示す正面図である。
【図１９】本発明に係るメッシュパネルの縦線材及び横線材の何れか一方の凹部及び凸部が、縦線材及び横線材の何れか他方の凹部及び凸部に納まって前後方向に挟まれて傾斜した状態を示す斜視図である。
【図２０】本発明に係るメッシュパネルを把持する状態を示す正面図である。
【図２１】従来の金網の縦線材と横線材とが互いに１箇の線分で線接触している状態を示す平面断面図である。
【発明を実施するための形態】
【００２８】
以下、本発明を適用したメッシュパネル１を実施するための形態について、図面を参照しながら詳細に説明する。
【００２９】
本発明を適用したメッシュパネル１は、図１に示すように、複数の縦線材２と、縦線材２と交差する複数の横線材３とを備え、複数の縦線材２と複数の横線材３とが格子状に前後方向で交互に組み合わされて、複数の縦線材２と複数の横線材３とが編み合わされる。本発明を適用したメッシュパネル１は、複数の縦線材２と複数の横線材３とを一定の目合に配列して編み合わされた長方形の金網として構成される。
【００３０】
本発明を適用したメッシュパネル１は、例えば、図２に示すように、上下両側の各々に２本１組の側部横線材３ａが設けられ、左右両側の各々に２本１組の側部縦線材２ａが設けられる。本発明を適用したメッシュパネル１は、左右両側の２本１組の側部縦線材２ａと、上下両側の２本１組の側部横線材３ａとで囲まれる長方形の枠の内側において、複数の中間部縦線材２ｂと複数の中間部横線材３ｂとが編み込まれる。本発明を適用したメッシュパネル１は、２本１組の中間部横線材３ｂが上下方向に間隔をあけて複数段に亘って配置される。
【００３１】
縦線材２及び横線材３は、図３に示すように、鋼材を塑性変形させることによって、凹部４と凸部５とが連続して交互に設けられてクリンプ加工された波状のものが用いられる。縦線材２及び横線材３は、縦線材２及び横線材３の各々において、隣り合う凹部４と凸部５との頂部の間隔が所定の１ピッチＰとなるように、凹部４と凸部５とが連続して交互に設けられる。
【００３２】
縦線材２及び横線材３は、これに限らず、縦線材２及び横線材３について、鋼材等を弾性変形させて編み合わせたものが用いられてもよい。また、縦線材２及び横線材３は、これに限らず、縦線材２及び横線材３の各々において、直線状の鋼材等に複数の凹部４及び凸部５の何れか一方又は両方を断続的に設けて、凹部４又は凸部５と直線部とが交互に配置されたものであってもよい。
【００３３】
縦線材２及び横線材３の何れか一方又は両方は、全長に亘って略平面状に形成され、図４（ａ）に示すように、長辺側で直線状となる長尺部７１と、短辺側で円弧状となる短尺部７２とを有する略小判形の略扁平断面形状に形成される。また、縦線材２及び横線材３の何れか一方又は両方は、図４（ｂ）に示すように、長辺側で直線状となる長尺部７１と、短辺側で直線状となる短尺部７２とを有する略四角形の略扁平断面形状に形成されてもよい。さらに、縦線材２及び横線材３の何れか一方又は両方は、図４（ｃ）に示すように、円弧部７４と弦部７５とで構成される欠円形状の略扁平断面形状に形成されてもよい。
【００３４】
縦線材２及び横線材３は、図５に示すように、縦線材２の凹部４と横線材３の凸部５とが配置される交差部７、及び、縦線材２の凸部５と横線材３の凹部４とが配置される交差部７が形成され、略平面状に形成された接触側面７３で互いに接触する。縦線材２及び横線材３の何れか一方は、図５（ａ）、（ｂ）に示すように、縦線材２及び横線材３の何れか他方と、長尺部７１における接触側面７３の幅方向Ｘの両側部７３ａで、軸方向Ｙに延びる２箇所の線分Ｓで線接触される。
【００３５】
縦線材２及び横線材３の何れか一方は、これに限らず、縦線材２及び横線材３の何れか他方と、短尺部７２における接触側面７３の幅方向Ｘの両側部７３ａで、軸方向Ｙに延びる２箇所の線分Ｓで線接触されてもよい。また、縦線材２及び横線材３の何れか一方又は両方は、略正方形断面形状に形成されるものとして、接触側面７３の幅方向Ｘの両側部７３ａで、軸方向Ｙに延びる２箇所の線分Ｓで線接触されるものとしてもよい。なお、縦線材２及び横線材３は、縦線材２と横線材３との交差部７においてのみ、略平面状に形成されていてもよく、あるいは略扁平断面形状に形成されてもよい。
【００３６】
縦線材２は、図６に示すように、左右方向に隣り合う２本の縦線材２が１ピッチＰずらして配置され、側面視において、左右方向に隣り合う凹部４の最深部４ａと凸部５の最深部５ａとが離間しないように設けられる。縦線材２は、これに限らず、側面視において、凹部４の最深部４ａの一部と凸部５の最深部５ａの一部とが重なり合うようにして、縦線材２と横線材３とを互いに弾性変形させて絡み合うようにして編み込まれてもよい。
【００３７】
縦線材２は、縦線材２と横線材３との交差部７で、凹部４の最深部４ａと凸部５の最深部５ａとが互いに略平行となるように、凹部４の最深部４ａ及び凸部５の最深部５ａが略平面状で略直線状に形成される。横線材３は、縦線材２と横線材３との交差部７で、接触側面７３の幅方向Ｘの両側方で縦線材２と離間されて、間隙Ｇが形成される。
【００３８】
横線材３は、図７に示すように、上下方向に隣り合う２本の横線材３が１ピッチＰずらして配置され、平面視において、上下方向に隣り合う凹部４の最深部４ａと凸部５の最深部５ａとが離間しないように設けられる。横線材３は、これに限らず、平面視において、凹部４の最深部４ａの一部と凸部５の最深部５ａの一部とが重なり合うようにして、縦線材２と横線材３とを互いに弾性変形させて絡み合うようにして編み込まれてもよい。
【００３９】
横線材３は、縦線材２と横線材３との交差部７で、凹部４の最深部４ａと凸部５の最深部５ａとが互いに略平行となるように、凹部４の最深部４ａ及び凸部５の最深部５ａが略平面状で略直線状に形成される。縦線材２は、縦線材２と横線材３との交差部７で、接触側面７３の幅方向Ｘの両側方で横線材３と離間されて、間隙Ｇが形成される。
【００４０】
縦線材２及び横線材３の何れか一方の凹部４及び凸部５は、図６、図７に示すように、縦線材２と横線材３との交差部７において、縦線材２及び横線材３の何れか他方の凹部４及び凸部５に納まって前後方向に挟まれるため、縦線材２と横線材３とが離間しにくく安定した編成となると同時に、メッシュパネル１の美観も向上することになる。凹部４は、凹部４の最深部４ａと略平行となるように凹部４の最高部４ｂが形成され、凸部５は、凸部５の最深部５ａと略平行となるように凸部５の最高部５ｂが形成される。
【００４１】
本発明を適用したメッシュパネル１は、図６、図７、図８に示すように、縦線材２と横線材３との交差部７で、接触側面７３の幅方向Ｘの両側方に間隙Ｇが形成されるため、軸方向Ｙに延びる２箇所の線分Ｓで線接触した部位を支点として、横線材３を間隙Ｇで上下方向に傾斜させることができ、横線材３がメッシュパネル１の面内方向で傾動自在となる。この間隙Ｇは、凹部４の最深部４ａ及び凸部５の最深部５ａの長さを長く設定することによって大きくすることができ、このとき、本発明を適用したメッシュパネル１は、メッシュパネル１の面内方向で横線材３の傾動角度を大きくすることができる。
【００４２】
本発明を適用したメッシュパネル１は、図２、図６、図７に示すように、側部横線材３ａ及び中間部横線材３ｂと、側部縦線材２ａ及び中間部縦線材２ｂとが、互いに絡み合うようにして編み込まれる。本発明を適用したメッシュパネル１は、図６、図７、図９に示すように、左側の２本１組の側部縦線材２ａと、下側の２本１組の側部横線材３ａとが直交して、凹部４と凸部５とが互いに前後方向に挟まれて係合されるものとなる。このとき、本発明を適用したメッシュパネル１は、２本１組の側部縦線材２ａと２本１組の側部横線材３ａとが互いに絡み合って四方枠６を形成することになり、互いに絡み合ってずれないように編み込まれる。
【００４３】
本発明を適用したメッシュパネル１は、図２に示すように、メッシュパネル１の４隅に四方枠６が形成されることにより、メッシュパネル１の長方形の４辺が安定して組み合わされることになる。本発明を適用したメッシュパネル１は、側部縦線材２ａ及び側部横線材３ａが、少なくとも２本以上を１組として隣り合うように配置されていれば、３本以上を１組として配置されても構わないが、２本１組乃至４本１組とされることが望ましい。
【００４４】
本発明を適用したメッシュパネル１は、２本１組の中間部横線材３ｂと２本１組の側部縦線材２ａとが中間部四方枠６ａを形成することにより、側部縦線材２ａに対して中間部横線材３ｂが安定して組み込まれ、２本１組の中間部横線材３ｂと２本１組の側部縦線材２ａとが互いに絡み合ってずれないように編み込まれる。本発明を適用したメッシュパネル１は、中間部横線材３ｂが、少なくとも２本以上を１組として隣り合うように配置されていれば、３本以上を１組として配置されても構わないが、２本１組乃至４本１組とされることが望ましい。
【００４５】
本発明を適用したメッシュパネル１は、図６、図７に示すように、縦線材２と横線材３との交差部７で、接触側面７３の幅方向Ｘの両側方に間隙Ｇが形成されるため、図８に示すように、軸方向Ｙに延びる２箇所の線分Ｓで線接触した部位を支点として、横線材３を間隙Ｇで上下方向に傾斜させることができ、図１０に示すように、メッシュパネル１の全体を長方形の状態から平行四辺形の状態にスムーズに変形させることが可能となる。
【００４６】
本発明を適用したメッシュパネル１は、平地に設置するときに、図１０（ａ）に示すように、縦線材２と横線材３とが直角に交わる長方形の状態で配置することができる。また、本発明を適用したメッシュパネル１は、図１０（ｂ）に示すように、メッシュパネル１の左右両側を上下方向に相対移動させることで、縦線材２が上下方向に配向されたまま横線材３を傾斜させることができる。このとき、本発明を適用したメッシュパネル１は、傾斜地に設置するときに、縦線材２と横線材３とが傾斜して交わる平行四辺形の状態で配置することができる。
【００４７】
本発明を適用したメッシュパネル１は、例えば、図１１に示すように、所定の間隔で地盤９に立設された支柱８に取り付けられて、本発明を適用したフェンス１０の面材として用いられる。側部縦線材２ａ及び中間部縦線材２ｂの下端部は、下側の側部横線材３ａより下方に延長されて、下側の側部横線材３ａとともに地盤９に埋設される。支柱８は、地盤９に構築されたコンクリート基礎１１に支柱８の下端が埋設される。
【００４８】
本発明を適用したフェンス１０は、メッシュパネル１の上端が、左右方向に隣り合う支柱８の間に架設された上部胴縁１２に固定されるとともに、メッシュパネル１の左右両端が、断面ハット型の支柱８に固定される。上部胴縁１２は、図１２に示すように、例えば、アングル材が用いられる。本発明を適用したフェンス１０は、これに限らず、如何なる形状の上部胴縁１２が用いられてもよく、また、上部胴縁１２が用いられなくてもよい。
【００４９】
上部胴縁１２は、図１２（ａ）、図１２（ｂ）に示すように、図１２（ｃ）に示す段差部のある一方の上部胴縁１２の端部に、図１２（ｄ）に示す段差部のない他方の上部胴縁１２の端部を重ね合わせて固定ボルト１８で固定され、所定の長さに連続して連結される。
【００５０】
上部胴縁１２は、図１３（ａ）に示すように、アングル材の垂直部が、支柱８に上向きに切り起こされた爪１３に係止される。上部胴縁１２は、図１３（ｂ）に示すように、アングル材の水平部が、支柱８の上端を貫通する取り付けボルト１４の先端に設けられた胴縁取付金具１５で係止される。上部胴縁１２は、図１３（ｃ）に示すように、左右方向に隣り合う中間部縦線材２ｂの間で、２本１組の側部横線材３ａが、金網取付金具１６によって上部胴縁１２の垂直部の内側に押さえつけられ、金網取付金具１６を貫通するボルト１７を介して固定される。
【００５１】
支柱８は、図１１に示すＡ部、Ｂ部の金具を適宜に組み合わせることによって、メッシュパネル１の左右両側が固定されるものである。支柱８は、平地又は傾斜地の何れに本発明を適用したメッシュパネル１が設置されるときも、図１１に示すＡ部、Ｂ部の金具を用いた固定手段を共通に適用することができる。
【００５２】
Ａ部の金具は、図１４（ａ）、（ｂ）に示すように、断面ハット型の支柱８の両側の鍔部２５に、隣り合うメッシュパネル１の中間部横線材３ｂの端部と側部縦線材２ａとを重ね合わせて、押さえ金具１９で同時に押さえつけるものである。押さえ金具１９は、支柱８を抱持したＵボルト２０の両端を挿通させてナット２１で締結することで、メッシュパネル１の左右両側を支柱８に固定するものである。
【００５３】
Ｂ部の金具は、図１４（ｃ）、（ｄ）に示すように、断面ハット型の支柱８の両側の鍔部２５に、隣り合うメッシュパネル１の中間部横線材３ｂの端部と側部縦線材２ａとを重ね合わせて、押さえ金具２２で同時に押さえつけるものである。押さえ金具２２は、断面ハット型の支柱８の頂部を貫通する固定ボルト２３を挿通させてナット２４で締結することで、メッシュパネル１の左右両側を支柱８に固定するものである。
【００５４】
本発明を適用したメッシュパネル１は、図５に示すように、縦線材２及び横線材３の何れか一方が、縦線材２及び横線材３の何れか他方と、略平面状に形成された接触側面７３の幅方向Ｘの両側部７３ａで、軸方向Ｙに延びる２箇所の線分Ｓで線接触される。このとき、本発明を適用したメッシュパネル１は、図１５に示すように、縦線材２と横線材３との交差部７で、軸方向Ｙに延びる２箇所の線接触された線分Ｓの間で接触面Ｃが形成される。これにより、本発明を適用したメッシュパネル１は、軸方向Ｙに延びる２箇所の線分Ｓにおける線接触によってメッシュパネル１の面外方向の変形に抵抗することができるため、この接触面Ｃによってメッシュパネル１の面外方向の変形を抑制して、メッシュパネル１の形態安定性を向上させることができ、メッシュパネル１の運搬、設置を容易にすることが可能となる。
【００５５】
本発明を適用したメッシュパネル１は、この接触面Ｃによって縦線材２又は横線材３そのものが回転することを抑止できるため、縦線材２又は横線材３そのものが回転することによって凹部４と凸部５との係合状態が解除されることを回避することができ、凹部４と凸部５との係合状態が解除されることによってメッシュパネル１が容易に分解することを防止して、メッシュパネル１の製作から梱包、運搬、施工までの間の取り扱いによって、縦線材２及び横線材３が崩れることを防止することが可能となる。
【００５６】
本発明を適用したメッシュパネル１は、側面視において、図６に示すように、縦線材２が左右方向に隣り合う凹部４の最深部４ａと凸部５の最深部５ａとが離間しないように設けられ、平面視において、図７に示すように、横線材３が上下方向に隣り合う凹部４の最深部４ａと凸部５の最深部５ａとが離間しないように設けられる。これにより、本発明を適用したメッシュパネル１は、間隙Ｇによって横線材３がメッシュパネル１の面内方向で傾動自在となると同時に、図２に示すような四方枠６や中間部四方枠６ａが形成されない場合であっても、１本ずつの縦線材２及び横線材３を交差させて、縦線材２及び横線材３が崩れることを防止することができ、側部横線材３ａ、中間部横線材３ｂ及び側部縦線材２ａについて、必ずしも２本１組として用いることを必要としないものとなる。
【００５７】
本発明を適用したメッシュパネル１は、図１６に示すように、略平面状に形成された接触側面７３の幅方向Ｘの両側部７３ａで線接触するとともに、幅方向Ｘの中間部７３ｂが離間されていないものとすることができる。このとき、本発明を適用したメッシュパネル１は、図１５に示す接触面Ｃが形成されて、メッシュパネル１の面外方向及び面内方向のガタつきを防止することができる。本発明を適用したメッシュパネル１は、これに限らず、幅方向Ｘの中間部７３ｂが多少離間されてもよい。
【００５８】
これにより、本発明を適用したメッシュパネル１は、縦線材２及び横線材３の向きを揃えて美観を向上させることが可能となり、また、縦線材２の回転を防止して上部胴縁１２にメッシュパネル１を垂直に固定することが可能となる。また、本発明を適用したメッシュパネル１は、落石又は小動物がメッシュパネル１に衝突したときの衝撃荷重を、衝突した部位から周囲の縦線材２又は横線材３に分散させることができ、この衝撃荷重をメッシュパネル１全体にスムーズに分散することが可能となる。
【００５９】
本発明を適用したメッシュパネル１は、縦線材２及び横線材３の各々について、凹部４の最深部４ａと凸部５の最高部５ｂとが互いに略平行となるように、凹部４の最深部４ａ及び凸部５の最高部５ｂが略平面状で略直線状に形成される。このとき、縦線材２及び横線材３は、断面略円形状の線材をプレス成形することにより製造されるため、凸部５と凹部４とが傾斜した線材により連続し、図１７、図１８に示すように、波状の最も高くなっていた部位で最高部５ｂの幅が最大となるとともに、この最も高くなっていた部位から離間するごとに最高部５ｂの幅が漸減して、正面視で凸部５が略楕円形状となる。また、縦線材２及び横線材３は、波状の最も低くなっていた部位で最深部４ａの幅が最小となるとともに、この最も低くなっていた部位から離間するごとに最深部４ａの幅が漸増し、正面視で凹部４が略くびれ形状となる。なお、縦線材２及び横線材３は、断面略円形状の線材をプレス成形することにより製造されるため、従来の波状の線材のように歯車等で１本ずつ成形する場合に比べて、一度に多数の線材を製造することが可能となる。なお、縦線材２及び横線材３は、直径が約４ｍｍの直線状の略断面円形状の線材を、１ピッチＰが約１０ｍｍとなるようにプレス成形して製造される。
【００６０】
これにより、本発明を適用したメッシュパネル１は、図１９に示すように、縦線材２及び横線材３の各々について、略楕円形状の凸部５と略くびれ形状の凹部４とが交互に形成されることになり、図２１に示すような従来の波状の線材のように曲線が単調に連続するものに比べて、異なる正面形状の凸部５と凹部４とが交互に連続するとともに、略直線状に形成された凸部５の最高部５ｂと凹部４の最深部４ａとが傾斜した線材により連続することで、縦線材２及び横線材３の各々を変化に富んだ形状にすることができ、メッシュパネル１の全体の美感を向上させることが可能となる。
【００６１】
本発明を適用したメッシュパネル１は、縦線材２及び横線材３の各々について、凹部４の最深部４ａと凸部５の最深部５ａとが互いに略平行となるように、凹部４の最深部４ａ及び凸部５の最深部５ａが略平面状で略直線状に形成されるため、従来の波状の線材を用いる場合に比べて、線材の使用量を低減させることが可能となる。具体的には、平面視において所定の長さとなる縦線材２又は横線材３を得るために、図２１に示すような従来の波状の線材を用いる場合に比べて、約６．６％の線材の使用量を低減させるものとなる。例えば、幅約２．０ｍ、高さ約１．６ｍのメッシュパネル１において、４１本の縦線材２及び１０本の横線材３が用いられた場合で、直線状の略断面円形状の線材を用いるときは、約８６ｍの加工された線材が必要となる。このとき、従来の波状の線材を用いる場合は、合計で９３．４０ｍ分の直線状の線材を加工することが必要となるのに対して、凹部４の最深部４ａ及び凸部５の最深部５ａが略直線状に形成された線材を用いる場合は、合計で８７．２９ｍ分の直線状の線材を加工することで足りるものとなる。
【００６２】
これにより、本発明を適用したメッシュパネル１は、例えば、幅約２．０ｍ、高さ約１．６ｍのメッシュパネル１において、４１本の縦線材２及び１０本の横線材３が用いられた場合で、従来の波状の線材を用いるときに比べて、約６．１１ｍもの線材の使用量を低減させることができるため、約６．６％もの線材の使用量を低減させて、メッシュパネル１の製造における歩留まりを著しく向上させることが可能となる。
【００６３】
本発明を適用したメッシュパネル１は、図２０に示すように、隣り合う縦線材２を把持して運搬、設置されるものである。このとき、本発明を適用したメッシュパネル１は、図５に示すように、縦線材２が略扁平断面形状に形成されるため、隣り合う縦線材２が把持されて互いに引き寄せられる面内方向に長尺部７１が配置されることになり、この面内方向の縦線材２の変形を抑制することができる。これにより、従来の波状の線材は、線材の太さを太くすることにより面内方向の変形に対する剛性を向上させることが必要であったが、本発明を適用したメッシュパネル１は、線材が面内方向に延びるように略扁平断面形状に形成されるため、線材の太さを太くすることなく、面内方向の変形に対する剛性を向上させることが可能となる。
【００６４】
また、本発明を適用したメッシュパネル１は、縦線材２と横線材３との交差部７で、縦線材２と横線材３とが傾動するときに、軸方向Ｙに延びる２箇所の線分Ｓで適度に抵抗することになり、手で力を加えたとき等に限ってメッシュパネル１の左右両側が上下方向に相対移動して平行四辺形に変形するように、メッシュパネル１の平行四辺形の変形を適度に調整することが可能となる。
【００６５】
これにより、本発明を適用したメッシュパネル１は、メッシュパネル１の平行四辺形の変形を自在なものとすると同時に、メッシュパネル１の面外方向及び面内方向の変形を抑制して、さらに、メッシュパネル１の平行四辺形の変形を適度に調整して形態安定性を向上させることができ、メッシュパネル１の運搬、設置を容易にすることが可能となる。
【００６６】
本発明を適用したメッシュパネル１は、略扁平断面形状の縦線材２又は横線材３が用いられることにより、縦線材２と横線材３との交差部７で、メッシュパネル１の面外方向の厚みを薄くすることができる。特に、本発明を適用したメッシュパネル１は、縦線材２及び横線材３の両方が略扁平断面形状である場合に、メッシュパネル１の面内方向の変形に対する抵抗をさらに適度に調整することができ、メッシュパネル１の形態安定性を向上させることが可能となるとともに、メッシュパネル１の面外方向の厚みをさらに薄くすることが可能となる。
【符号の説明】
【００６７】
１        ：メッシュパネル
２        ：縦線材
２ａ      ：側部縦線材
２ｂ      ：中間部縦線材
３        ：横線材
３ａ      ：側部横線材
３ｂ      ：中間部横線材
４        ：凹部
４ａ      ：凹部最深部
４ｂ      ：凹部最高部
５        ：凸部
５ａ      ：凸部最深部
５ｂ      ：凸部最高部
６        ：四方枠
６ａ      ：中間部四方枠
７        ：交差部
７１      ：長尺部
７２      ：短尺部
７３      ：接触側面
７３ａ    ：両側部
７３ｂ    ：中間部
７４      ：円弧部
７５      ：弦部
８        ：支柱
９        ：地盤
１０      ：フェンス
１１      ：コンクリート基礎
１２      ：上部胴縁
１３      ：爪
１４      ：取り付けボルト
１５      ：胴縁取付金具
１６      ：金網取付金具
１７      ：ボルト
１８      ：固定ボルト
１９      ：押さえ金具
２０      ：Ｕボルト
２１      ：ナット
２２      ：押さえ金具
２３      ：固定ボルト
２４      ：ナット
２５      ：鍔部
Ｐ        ：１ピッチ
Ｇ        ：間隙
Ｓ        ：線分
Ｃ        ：接触面
Ｘ        ：幅方向
Ｙ        ：軸方向
【図１】
2014159706.tif 000003
【図２】
2014159706.tif 000004
【図３】
2014159706.tif 000005
【図４】
2014159706.tif 000006
【図５】
2014159706.tif 000007
【図６】
2014159706.tif 000008
【図７】
2014159706.tif 000009
【図８】
2014159706.tif 000010
【図９】
2014159706.tif 000011
【図１０】
2014159706.tif 000012
【図１１】
2014159706.tif 000013
【図１２】
2014159706.tif 000014
【図１３】
2014159706.tif 000015
【図１４】
2014159706.tif 000016
【図１５】
2014159706.tif 000017
【図１６】
2014159706.tif 000018
【図１７】
2014159706.tif 000019
【図１８】
2014159706.tif 000020
【図１９】
2014159706.tif 000021
【図２０】
2014159706.tif 000022
【図２１】
2014159706.tif 000023